(57)【要約】【課題】導光体を備えた車両用灯具において、導光体が略均一に発光して見えるようにする。【解決手段】（ｂ）に示すように、車幅方向に延びるように配置された導光体２０に対して、その右端面２０ａから入射した光源３０からの光を、その後面部２０ｃに形成された複数の反射素子２０ｓで内面反射させて、その前面部２０ｄから灯具前方へ出射させる構成とする。その際、複数の反射素子２０ｓの表面に光散乱処理が施された構成とする。これにより、各反射素子２０ｓを形成する際の精度に多少のバラツキがあっても、各反射素子２０ｓ相互間において発光ムラが生じてしまうのを効果的に抑制する。また（ａ）に示すように、灯具非点灯時には、導光体２０において複数の反射素子２０ｓが形成された部分が白濁した状態で見えるようにし、斬新な灯具意匠を演出する。【選択図】図４
2013191406.tif 000002
【特許請求の範囲】
【請求項１】
灯具前後方向と交差する第１方向に延びるように配置された導光体と、この導光体に対して該導光体における上記第１方向の端面から光を入射させるように配置された光源と、を備えてなる車両用灯具において、
上記導光体が、該導光体の後面部に形成された複数の反射素子で、該導光体に入射した上記光源からの光を内面反射させて、該導光体の前面部から灯具前方へ出射させるように構成されており、
上記複数の反射素子の表面に、光散乱処理が施されている、ことを特徴とする車両用灯具。
【請求項２】
上記複数の反射素子が、上記第１方向に関して離散的に配置されており、
上記導光体の後面部における上記各反射素子相互間の部分の表面にも、光散乱処理が施されている、ことを特徴とする請求項１記載の車両用灯具。
【請求項３】
上記導光体の上記第１方向と直交する平面に沿った断面形状が、略矩形に設定されている、ことを特徴とする請求項１または２記載の車両用灯具。
【請求項４】
上記導光体の後方側に、該導光体の後面部から出射した光を該導光体へ向けて反射させるリフレクタが、上記第１方向に延びるように配置されている、ことを特徴とする請求項１〜３いずれか記載の車両用灯具。
【請求項５】
灯具前後方向と交差する第１方向に延びるように配置された導光体と、この導光体に対して該導光体における上記第１方向の端面から光を入射させるように配置された光源と、を備えてなる車両用灯具において、
上記導光体が、該導光体の前面部に形成された複数の反射素子で、該導光体に入射した上記光源からの光を内面反射させて、該導光体の後面部から出射させるように構成されており、
上記複数の反射素子の表面に、光散乱処理が施されており、
上記導光体の後方側に、該導光体の後面部から出射した光を該導光体へ向けて反射させるリフレクタが、上記第１方向に延びるように配置されている、ことを特徴とする車両用灯具。
【発明の詳細な説明】
【技術分野】
【０００１】
本願発明は、導光体を備えた車両用灯具に関するものである。
【背景技術】
【０００２】
従来より、車両用灯具の構成として、灯具前後方向と交差する第１方向に延びるように配置された導光体と、この導光体に対してその第１方向の端面から光を入射させるように配置された光源とを備えたものが知られている。
【０００３】
「特許文献１」には、このような車両用灯具において、その導光体の後面部における第１方向の複数箇所に反射素子が形成された構成が記載されている。
【０００４】
この「特許文献１」に記載された車両用灯具においては、導光体の後面部に形成された複数の反射素子で内面反射した光を、その前面部から灯具前方へ出射させるように構成されている。
【先行技術文献】
【特許文献】
【０００５】
【特許文献１】特開２０１１−２３８５８２号公報
【発明の概要】
【発明が解決しようとする課題】
【０００６】
上記「特許文献１」に記載された車両用灯具においては、その導光体が各反射素子毎に発光して見えるが、各反射素子を形成する際の精度にバラツキがあると、各反射素子相互間において発光ムラが生じやく、このため導光体が略均一に発光して見えるようにすることが容易でない、という問題がある。
【０００７】
本願発明は、このような事情に鑑みてなされたものであって、導光体を備えた車両用灯具において、導光体が略均一に発光して見えるようにすることができる車両用灯具を提供することを目的とするものである。
【課題を解決するための手段】
【０００８】
本願発明は、導光体の構成に工夫を施すことにより、上記目的達成を図るようにしたものである。
【０００９】
すなわち、本願発明に係る車両用灯具は、
灯具前後方向と交差する第１方向に延びるように配置された導光体と、この導光体に対して該導光体における上記第１方向の端面から光を入射させるように配置された光源と、を備えてなる車両用灯具において、
上記導光体が、該導光体の後面部に形成された複数の反射素子で、該導光体に入射した上記光源からの光を内面反射させて、該導光体の前面部から灯具前方へ出射させるように構成されており、
上記複数の反射素子の表面に、光散乱処理が施されている、ことを特徴とするものである。
【００１０】
上記「第１方向」は、灯具前後方向と交差する方向であれば、その具体的な方向は特に限定されるものではない。
【００１１】
上記「導光体」は、第１方向に延びるように配置されていれば、その断面形状や、その後面部に形成された複数の反射素子の具体的な構成については特に限定されるものではない。
【００１２】
上記「光散乱処理」とは、光を散乱させるための表面処理を意味するものであって、例えばフロスト加工、シボ加工、ローレット加工等による表面処理が採用可能である。
【発明の効果】
【００１３】
上記構成に示すように、本願発明に係る車両用灯具は、灯具前後方向と交差する第１方向に延びるように配置された導光体に対して、その第１方向の端面から光を入射させるように光源が配置された構成となっているが、その際、導光体は、該導光体に入射した光源からの光をその後面部に形成された複数の反射素子で内面反射させて、その前面部から灯具前方へ出射させるように構成されており、かつ、これら複数の反射素子の表面には光散乱処理が施されているので、次のような作用効果を得ることができる。
【００１４】
すなわち、導光体に入射した光源からの光をその後面部に形成された複数の反射素子で内面反射させて、その前面部から灯具前方へ出射させることにより、導光体を各反射素子毎に発光して見えるようにすることができる。その際、これら複数の反射素子の表面には光散乱処理が施されているので、各反射素子を形成する際の精度に多少のバラツキがあっても、各反射素子相互間において発光ムラが生じてしまうのを効果的に抑制することができ、これにより導光体が略均一に発光して見えるようにすることができる。
【００１５】
このように本願発明によれば、導光体を備えた車両用灯具において、導光体が略均一に発光して見えるようにすることができる。
【００１６】
しかも本願発明のように、複数の反射素子の表面に光散乱処理が施された構成とすることにより、灯具非点灯時においては、導光体において複数の反射素子が形成された部分が白濁した状態で見えるようにすることができ、これにより斬新な灯具意匠を演出することができる。
【００１７】
上記構成において、複数の反射素子が、第１方向に関して離散的に配置されている場合には、灯具非点灯時に、白濁した状態で見える部分の間隔が大きくなってしまうが、その際、導光体の後面部における各反射素子相互間の部分の表面にも光散乱処理が施された構成とすれば、導光体が帯状に連続して白濁した状態で見えるようにすることができる。
【００１８】
上記構成において、導光体の第１方向と直交する平面に沿った断面形状が略矩形に設定された構成とすれば、灯具正面視において、各反射素子が拡大したり縮小したりあるいは変形したりすることなくそのままの状態で見えるようにすることができる。そしてこれにより、導光体が略均一に発光して見える効果を最大限に発揮させることができる。
【００１９】
上記構成において、導光体の後方側に、その後面部から出射した光を該導光体へ向けて反射させるリフレクタが、第１方向に延びるように配置された構成とすれば、導光体の後面部で内面反射した光とリフレクタで反射して導光体に再入射した光とにより、導光体が一層明るく発光して見えるようにすることができる。その際、リフレクタで反射して導光体に再入射する光は、散乱光として導光体に入射することとなるので、導光体が略均一に発光して見える効果を維持することができる。
【００２０】
上記構成に代えて、導光体が、その前面部に形成された複数の反射素子で、該導光体に入射した光源からの光を内面反射させて、その後面部から灯具後方へ出射させるように構成し、その上で、これら複数の反射素子の表面に光散乱処理が施された構成とするとともに、導光体の後方側に、その後面部から出射した光を該導光体へ向けて反射させるリフレクタが第１方向に延びるように配置された構成を採用した場合においても、同様の作用効果を得ることができる。
【００２１】
すなわち、導光体に入射した光源からの光を、その前面部に形成された複数の反射素子で内面反射させてその後面部から出射させ、その後方側に配置されたリフレクタで該導光体へ向けて反射させて該導光体に再入射させ、さらに、その前面部から灯具前方へ出射させることができる。その際、複数の反射素子の表面には光散乱処理が施されているので、灯具前方へ出射する光は散乱光となり、これにより導光体が略均一に発光して見えるようにすることができる。
【００２２】
その際、導光体に入射してその前面部に到達した光は、光散乱処理が施された複数の反射素子において散乱光として内面反射する一方、その一部は散乱光として灯具前方へ出射するので、導光体が略均一に発光して見える効果を維持した上で、導光体が一層明るく発光して見えるようにすることができる。
【００２３】
また、このように複数の反射素子の表面に光散乱処理が施された構成とすることにより、灯具非点灯時においては、導光体において複数の反射素子が形成された部分が白濁した状態で見えるようにすることができ、これにより斬新な灯具意匠を演出することができる。
【図面の簡単な説明】
【００２４】
【図１】本願発明の一実施形態に係る車両用灯具を示す平断面図
【図２】図１のII−II線断面図
【図３】図１のIII 部詳細図
【図４】上記車両用灯具の要部を示す正面図であって、（ａ）は灯具非点灯時の様子を示す図、（ｂ）は灯具点灯時の様子を示す図
【図５】上記実施形態の変形例に係る車両用灯具の要部を示す、図３と略同様の図
【発明を実施するための形態】
【００２５】
以下、図面を用いて、本願発明の実施の形態について説明する。
【００２６】
図１は、本願発明の一実施形態に係る車両用灯具１０を示す平断面図である。また、図２は、図１のII−II線断面図であり、図３は、図１のIII
部詳細図である。
【００２７】
これらの図に示すように、本実施形態に係る車両用灯具１０は、車両の右後端部に設けられるテールランプであって、ランプボディ１２とこのランプボディ１２の前端開口部に取り付けられた素通し状の透光カバー１４とで形成される灯室内に、車幅方向に曲線状に延びるように配置された導光体２０と、この導光体２０に対して、その車幅方向外側の右端面２０ａから光を入射させるように配置された光源３０と、導光体２０の後方側において車幅方向に曲線状に延びるように配置されたリフレクタ４０とが組み込まれた構成となっている。
【００２８】
なお、本実施形態の説明において、「前方」や「後方」等の前後方向の向きは、車両用灯具１０としての向きであって、車両としての向きとは逆になっている。
【００２９】
導光体２０は、アクリル樹脂成形品等の透明な合成樹脂成形品からなり、その左端面２０ｂからその右端面２０ａへ向けて後方側に回り込むように形成された曲線Ｃに沿って延びる導光柱として形成されている。
【００３０】
この導光体２０は、曲線Ｃと直交する断面形状が矩形に設定されており、その後面部２０ｃにおける左右両端部以外の部分には、複数の反射素子２０ｓが後方側へ突出するようにして縦縞状に形成されている。その際、これら各反射素子２０ｓは、車幅方向外側に段差を有する楔形の断面形状で、後面部２０ｃの全高にわたって上下方向に延びる反射プリズムとして形成されている。
【００３１】
これら複数の反射素子２０ｓは、曲線Ｃに沿って等ピッチで形成されている。その際、これら各反射素子２０ｓは、右端面２０ａ寄りに位置する反射素子２０ｓから左端面２０ｂ寄りに位置する反射素子２０ｓにかけて徐々にその楔形の段差が大きくなるように形成されている。そして、これら複数の反射素子２０ｓは、導光体２０の後面部２０ｃにおいて、曲線Ｃに沿った方向に関して、僅かずつではあるが離散的に配置された構成となっている。
【００３２】
導光体２０の後面部２０ｃにおける各反射素子２０ｓ相互間の部分は、これら複数の反射素子２０ｓが形成されていない左右両端部と同様、曲線Ｃに沿って鉛直面状に延びる基本面部２０ｃ０として構成されている。その際、これら各基本面部２０ｃ０は、右端面２０ａ寄りに位置する基本面部２０ｃ０から左端面２０ｂ寄りに位置する基本面部２０ｃ０にかけて、その曲線Ｃに沿った方向の左右幅が徐々に狭くなっている。このように各基本面部２０ｃ０の左右幅を徐変させることにより、導光体２０の右端面２０ａから入射してその後面部２０ｃに到達する光を、その右端面２０ａ寄りの位置では、あまり反射素子２０ｓで内面反射させずに基本面部２０ｃ０で内面反射させて、左端面２０ｂ寄りの位置まで導光しやすくするようにしている。
【００３３】
導光体２０の後面部２０ｃには、その全面にわたって光散乱処理が施されている。すなわち、この光散乱処理は、各反射素子２０ｓの表面のみならず各基本面部２０ｃ０の表面にも施されている。この光散乱処理は、フロスト加工を施すことにより行われている。
【００３４】
一方、光源３０は、赤色の発光ダイオードであって、導光体２０の右端面２０ａの近傍において、その発光面を右端面２０ａへ向けるようにして配置されている。
【００３５】
この光源３０は、光源支持部材３２に固定支持されている。そして、この光源支持部材３２は、ランプボディ１２に固定支持されている。
【００３６】
導光体２０は、その左右両端部において導光体支持部材２２、２４にそれぞれ固定支持されている。その際、導光体２０の右端部を支持する導光体支持部材２２は、光源支持部材３２に固定支持されており、また、その左端部を支持する導光体支持部材２４は、ランプボディ１２に固定支持されている。
【００３７】
そして、リフレクタ４０は、ランプボディ１２の後面壁と導光体支持部材２２、２４とによって固定支持されている。
【００３８】
本実施形態に係る車両用灯具１０においては、その光源３０からの出射光を、導光体２０の右端面２０ａから入射させた後、その後面部２０ｃに形成された複数の反射素子２０ｓで内面反射させて、その前面部２０ｄから灯具前方へ向けて出射させるように構成されている。
【００３９】
その際、これら各反射素子２０ｓの表面には光散乱処理が施されているので、これら各反射素子２０ｓに到達した光は、仮に光散乱処理が施されていないとした場合に正反射する方向へ反射するだけでなく、正反射する方向以外の各方向にも散乱光として拡散反射し、また、その一部は各反射素子２０ｓから後方側へ散乱光として拡散出射することとなる。
【００４０】
そして、これら各反射素子２０ｓで内面反射して導光体２０の前面部２０ｄに到達した光のうち、この前面部２０ｄから前方へ向けて出射せずに、この前面部２０ｄで内面反射した光は、さらに後面部２０ｃへ向かうこととなる。そして、この後面部２０ｃに形成された各反射素子２０ｓに対して、臨界角を超える入射角度で到達した光は該反射素子２０ｓで再度内面反射して左端面２０ｂへ向かう光の割合が多くなり、臨界角未満の入射角度で到達した光は該反射素子２０ｓから導光体２０の後方側へ出射する光の割合が多くなる。
【００４１】
また、導光体２０の後面部２０ｃにおける各基本面部２０ｃ０に到達した光に関しても、これら各基本面部２０ｃ０の表面には光散乱処理が施されていることから、仮に光散乱処理が施されていないとした場合に正反射する方向へ反射するだけでなく、正反射する方向以外の各方向にも散乱光として拡散反射し、また、その一部は各反射素子２０ｓから後方側へ散乱光として拡散出射することとなる。
【００４２】
リフレクタ４０は、曲線Ｃに沿って鉛直面状に延びる反射面４０ａを有している。そして、このリフレクタ４０は、その反射面４０ａにおいて導光体２０の後面部２０ｃから後方側へ拡散出射した光を導光体２０へ向けて反射させ、その後面部２０ｃから散乱光として導光体２０に再入射させて、その前面部２０ｄから灯具前方へ向けて出射させるように構成されている。
【００４３】
図４は、本実施形態に係る車両用灯具１０の要部を示す正面図である。その際、同図（ａ）は、灯具非点灯時の様子を示す図であり、同図（ｂ）は、灯具点灯時の様子を示す図である。
【００４４】
同図（ａ）に示すように、灯具非点灯時（すなわち光源３０が点灯していないとき）には、灯具正面視において、導光体２０の後面部２０ｃが、その前面部２０ｄを透して見えることとなる。その際、導光体２０の断面形状は矩形に設定されているので、その後面部２０ｃに等ピッチで縦縞状に形成された複数の反射素子２０ｓが、そのままの形状で見えることとなる。具体的には、この後面部２０ｃは、各反射素子２０ｓの稜線と、各反射素子２０ｓと各基本面部２０ｃ０との境界の折れ曲がり線とが縦縞状の模様で見えることとなる。その際、この後面部２０ｃには、その全面にわたって光散乱処理が施されているので、白濁した横長の帯状領域の中に縦縞模様が見えることとなる。
【００４５】
一方、同図（ｂ）に示すように、灯具点灯時（すなわち光源３０が点灯しているとき）には、灯具正面視において、導光体２０の後面部２０ｃに形成された複数の反射素子２０ｓが、縦縞模様で発光して見えることとなる。
【００４６】
これは、複数の反射素子２０ｓの各々で内面反射した光が、導光体２０の前面部２０ｄから灯具前方へ向けて出射することによるものである。その際、これら複数の反射素子２０ｓの表面には光散乱処理が施されており、その内面反射光は散乱光となるので、各反射素子２０ｓ相互間の発光ムラが効果的に抑制され、これにより複数の反射素子２０ｓは略均一に発光して見えることとなる。
【００４７】
また、導光体２０の後面部２０ｃには、各反射素子２０ｓ相互間の各基本面部２０ｃ０にも、その表面に光散乱処理が施されているので、これら各基本面部２０ｃ０も、該基本面部２０ｃ０で散乱光として内面反射して導光体２０の前面部２０ｄから灯具前方へ向けて出射した光により、略均一に発光して見えることとなる。ただし、これら各基本面部２０ｃ０は、各反射素子２０ｓのように、その内面反射光を導光体２０の前面部２０ｄから灯具前方へ向けて出射させるために積極的に偏向させる構成とはなっていないので、その発光による明るさは各反射素子２０ｓの発光による明るさに比してかなり小さいものとなる。
【００４８】
したがって、灯具点灯時には、灯具正面視において、導光体２０の後面部２０ｃは、濃淡の縦縞模様で発光して見えることとなる。
【００４９】
次に、本実施形態の作用効果について説明する。
【００５０】
本実施形態に係る車両用灯具１０は、曲線Ｃに沿った車幅方向（すなわち灯具前後方向と交差する第１方向）に延びるように配置された導光体２０に対して、その車幅方向外側の右端面（すなわち第１方向の端面）２０ａから光を入射させるように光源３０が配置された構成となっているが、その際、導光体２０は、該導光体２０に入射した光源３０からの光をその後面部２０ｃに形成された複数の反射素子２０ｓで内面反射させて、その前面部２０ｄから灯具前方へ出射させるように構成されており、かつ、これら複数の反射素子２０ｓの表面には光散乱処理が施されているので、次のような作用効果を得ることができる。
【００５１】
すなわち、導光体２０に入射した光源３０からの光をその後面部２０ｃに形成された複数の反射素子２０ｓで内面反射させて、その前面部２０ｄから灯具前方へ出射させることにより、導光体２０を各反射素子２０ｓ毎に発光して見えるようにすることができる。その際、これら複数の反射素子２０ｓの表面には光散乱処理が施されているので、各反射素子２０ｓを形成する際の精度に多少のバラツキがあっても、各反射素子２０ｓ相互間において発光ムラが生じてしまうのを効果的に抑制することができ、これにより導光体２０が略均一に発光して見えるようにすることができる。
【００５２】
このように本実施形態によれば、導光体２０を備えた車両用灯具１０において、導光体２０が略均一に発光して見えるようにすることができる。
【００５３】
しかも本実施形態のように、複数の反射素子２０ｓの表面に光散乱処理が施された構成とすることにより、灯具非点灯時においては、導光体２０において複数の反射素子２０ｓが形成された部分が白濁した状態で見えるようにすることができ、これにより斬新な灯具意匠を演出することができる。
【００５４】
本実施形態においては、複数の反射素子２０ｓが、曲線Ｃに沿った車幅方向に関して僅かずつ離散的に配置されているが、これら各反射素子２０ｓ相互間の各基本面部２０ｃ０の表面にも光散乱処理が施されているので、灯具非点灯時に、導光体２０が帯状に連続して白濁した状態で見えるようにすることができる。
【００５５】
その際、本実施形態においては、複数の反射素子２０ｓが曲線Ｃに沿った車幅方向に関して等ピッチで縦縞状に形成されているので、灯具点灯時には、導光体２０の後面部２０ｃが濃淡の規則的な縦縞模様で発光して見えるようにすることができるとともに、灯具非点灯時には、白濁した横長の帯状領域の中に規則的な縦縞模様が見えるようにすることができる。
【００５６】
また、本実施形態においては、導光体２０の曲線Ｃに沿った車幅方向と直交する平面に沿った断面形状が矩形に設定されているので、灯具正面視において、各反射素子２０ｓが拡大したり縮小したりあるいは変形することなくそのままの状態で見えるようにすることができる。そしてこれにより、導光体２０が略均一に発光して見える効果を最大限に発揮させることができる。
【００５７】
さらに、本実施形態においては、導光体２０の後方側に、その後面部２０ｃから出射した光を該導光体２０へ向けて反射させるリフレクタ４０が、曲線Ｃに沿った車幅方向に延びるように配置されているので、導光体２０の後面部２０ｃで内面反射した光とリフレクタ４０で反射して導光体２０に再入射した光とにより、導光体２０が一層明るく発光して見えるようにすることができる。その際、リフレクタ４０で反射して導光体２０に再入射する光は、散乱光として導光体２０に入射することとなるので、導光体２０が略均一に発光して見える効果を維持することができる。
【００５８】
上記実施形態においては、導光体２０の後面部２０ｃに形成された複数の反射素子２０ｓが、曲線Ｃに沿った方向に関して等ピッチでかつ僅かずつではあるが離散的に配置された構成となっているものとして説明したが、そのピッチが変化するように配置された構成あるいは連続的に配置された構成とすることも可能である。
【００５９】
上記実施形態においては、各反射素子２０ｓが楔形の断面形状を有しているものとして説明したが、これ以外の断面形状（例えば台形等）を有する構成とすることも可能である。
【００６０】
上記実施形態においては、リフレクタ４０が、曲線Ｃに沿って鉛直面状に延びる反射面４０ａを有しているものとして説明したが、これ以外の反射面形状（例えば曲線Ｃに沿った凹シリンドリカル面等）を有する構成とすることも可能である。
【００６１】
上記実施形態においては、車両用灯具１０が、車両の右後端部に設けられるテールランプである場合について説明したが、車両の左後端部に設けられるテールランプである場合、あるいは車両の前端部に設けられる灯具である場合等においても、上記実施形態と同様の構成を採用することにより上記実施形態と同様の作用効果を得ることができる。
【００６２】
次に、上記実施形態の変形例について説明する。
【００６３】
図５は、本変形例に係る車両用灯具１１０を示す、図３と同様の図である。
【００６４】
同図に示すように、本変形例に係る車両用灯具１１０は、その基本的な構成については上記実施形態の場合と同様であるが、導光体１２０の構成が上記実施形態の場合と異なっている。
【００６５】
すなわち、本変形例の導光体１２０は、上記実施形態の導光体２０と同様、矩形の断面形状で曲線Ｃに沿って車幅方向に延びており、その右端面１２０ａにおいて光源３０からの出射光を入射させる構成となっているが、複数の反射素子１２０ｓが、導光体１２０の後面部１２０ｃではなく、その前面部１２０ｄに形成された構成となっている。
【００６６】
これら複数の反射素子１２０ｓは、導光体１２０の前面部１２０ｄにおける左右両端部以外の部分に、前方側へ突出するようにして形成されている。その際、これら各反射素子１２０ｓは、台形の断面形状で前面部１２０ｄの全高にわたって上下方向に延びており、曲線Ｃに沿って等ピッチで連続的に形成されている。そして、導光体１２０の前面部１２０ｄには、その全面にわたってフロスト加工等による光散乱処理が施されている。
【００６７】
本変形例においては、導光体１２０に入射した光源３０からの光を、その前面部１２０ｄに形成された複数の反射素子１２０ｓで内面反射させてその後面部１２０ｃから出射させ、その後方側に配置されたリフレクタ４０で該導光体１２０へ向けて反射させて該導光体１２０に再入射させることにより、その前面部１２０ｄから灯具前方へ出射させるようになっている。
【００６８】
その際、各反射素子１２０ｓの表面には光散乱処理が施されているので、灯具前方へ出射する光は散乱光となる。したがって、各反射素子１２０ｓ相互間の発光ムラが効果的に抑制され、これら複数の反射素子１２０ｓは略均一に発光して見えることとなる。
【００６９】
一方、導光体１２０に入射してその前面部１２０ｄに到達した光源３０からの光は、各反射素子１２０ｓにおいて、仮に光散乱処理が施されていないとした場合に正反射する方向へ反射するだけでなく、正反射する方向以外の各方向にも散乱光として拡散反射し、また、その一部は各反射素子１２０ｓから前方側へ散乱光として拡散出射することとなる。
【００７０】
したがって、灯具点灯時には、導光体１２０の前面部１２０ｄから灯具前方へ散乱光として直接出射する光と、リフレクタ４０を経由して導光体１２０から灯具前方へ散乱光として出射する光とにより、導光体１２０の前面部１２０ｄが濃淡の縦縞模様で略均一に発光して見えることとなる。
【００７１】
一方、灯具非点灯時には、導光体１２０の前面部１２０ｄが白濁した横長の帯状領域として見え、この帯状領域の中に複数の反射素子１２０ｓが縦縞模様で見えることとなる。
【００７２】
このように本変形例の構成を採用した場合においても、上記実施形態の場合と略同様の作用効果を得ることができる。
【００７３】
上記変形例においては、各反射素子１２０ｓが台形の断面形状を有しているものとして説明したが、これ以外の断面形状（例えば楔形等）を有する構成とすることも可能であり、また、円錐や角錐等の形状で構成することも可能である。
【００７４】
なお、上記実施形態およびその変形例において諸元として示した数値は一例にすぎず、これらを適宜異なる値に設定してもよいことはもちろんである。
【符号の説明】
【００７５】
１０、１１０  車両用灯具
１２  ランプボディ
１４  透光カバー
２０、１２０  導光体
２０ａ、１２０ａ  右端面
２０ｂ  左端面
２０ｃ、１２０ｃ  後面部
２０ｃ０  基本面部
２０ｄ、１２０ｄ  前面部
２０ｓ、１２０ｓ  反射素子
２２、２４  導光体支持部材
３０  光源
３２  光源支持部材
４０  リフレクタ
４０ａ  反射面
Ｃ  曲線
【図１】
2013191406.tif 000003
【図２】
2013191406.tif 000004
【図３】
2013191406.tif 000005
【図４】
2013191406.tif 000006
【図５】
2013191406.tif 000007